(57)【要約】【課題】省電力化を図りつつ、適切にＧＰＳによる位置情報の取得、アプリケーションプログラムに関連する情報の取得更新を実行する。【解決手段】携帯端末装置１は、各種アプリケーションプログラムの実行を指示する指示部１１と、該各種アプリケーションプログラムを表示する表示部６と、各種情報を受信する通信部９とを備え、更に、携帯端末装置１とユーザが接触するか否かを検出する検出部１０と、を備える。検出部１０は、第１センサと第２センサが接触状態を検出しているかの検出結果を所定時間毎に算出する。通信部９は、検出結果が接触状態を示す値の場合に、位置情報及び地図情報を更新する。表示部６は、検出結果が接触状態ではないことを示す値の場合に、表示画面の明るさを暗くする。【選択図】図１
2014014186.tif 000002
【特許請求の範囲】
【請求項１】
地図アプリケーションプログラムを含む各種のプログラムの実行を指示する指示部と、
前記地図アプリケーションプログラムの表示画面を表示する表示部と、
前記地図アプリケーションプログラムに用いる位置情報及び地図情報を取得する通信部と、
ユーザの接触状態を検出する第１センサと第２センサを備え、両センサが接触状態を検出しているか否かを判定する検出部と、を備え、
前記第１センサと前記第２センサは筐体の両側に離間して配置され、
前記検出部は、両センサが接触状態を検出しているかの検出結果を所定時間毎に算出し、
前記通信部は、前記検出結果が接触状態を示す値の場合に、前記位置情報及び地図情報を更新し、
前記表示部は、前記検出結果が接触状態ではないことを示す値の場合に、前記表示画面の明るさを暗くする、
ことを特徴とする携帯端末装置。
【発明の詳細な説明】
【技術分野】
【０００１】
本発明は、通信手段等を備えた携帯端末装置に関するものであって、特に、ユーザが携帯端末装置に接するか否かを検出する携帯端末装置に関するものである。
【背景技術】
【０００２】
交通情報を示すためのアプリケーションプログラムを起動することにより、ナビゲーション機能を実行する携帯端末装置（例えば、携帯電話）が知られている。この種の携帯端末装置においては、アプリケーションプログラムの起動から終了まで、ＧＰＳによる位置情報の取得またはアプリケーションプログラムの実行に必要な地図画像の取得更新を定期的に行うシステムが採用されていた。
【０００３】
この種の携帯端末装置を所持し、ナビゲーション機能を利用し現在位置から目的地へ移動するユーザには、携帯端末装置の表示画面に表示される地図画像などを必要なときに観て、少なくとも現在位置および目的地という交通情報の確認が必要である。これ等交通情報の確認は、例えば複数の岐路の内から１つの進路を選択することが求められたとき、或いは現在までの進路が間違っていないことを確認するとき等に必要となる。しかしながら、ユーザは、交差点や顕著な建造物などの移動経路上の要点において一度現在位置を確認すると、その後の暫くの間は、現在位置および目的地という交通情報の確認をしないことが多い。
【０００４】
このような場合、ナビゲーション機能付の携帯端末装置では、ナビゲーションのためのアプリケーションプログラムを起動させ、一旦現在位置および目的地などの交通情報の確認をすると、そのアプリケーションプログラムは起動させたまま、その後の暫くの間、例えば次の交差点に至るまでは、携帯端末装置の表示画面に表示される地図画像などを観ないことが少なくない。
【０００５】
それにも拘わらず、ユーザが表示画面の確認をしない期間にも、一定の間隔で、すなわち定期的にＧＰＳによる位置情報の取得または地図画像の取得更新を行うことは、携帯端末装置の電力を無駄に消費させる。
携帯端末装置の消費電力の軽減を図るという省電力の観点から、携帯端末装置のユーザの歩数データに基づき、ＧＰＳによる測位タイミングを自動的に設定する手法が、特許文献１で提案されている。
【先行技術文献】
【特許文献】
【０００６】
【特許文献１】特開２００９−９２５０６号公報
【発明の概要】
【発明が解決しようとする課題】
【０００７】
しかしながら、特許文献１の携帯端末装置で適用する測位タイミング自動設定手法では、ユーザが表示画面を確認する際に用いられる位置情報は、その時までの歩数データに基づき予測したタイミングに取得したものである。そこで、特許文献１の携帯端末装置の測位タイミング自動設定手法で表示画面に表示する位置情報、必ずしもユーザが表示画面を実際に確認しているときの位置情報ではない。即ち、特許文献１の携帯端末装置では、ユーザによる確認の際に取得したデータに基づき位置情報または地図画像を更新することができない。このように、特許文献１の携帯端末装置には、適切な位置情報の取得または適切なタイミングにおける地図画像の取得更新を実行できないという解決するべき課題がある。
【０００８】
そこで、本発明は、上記事情に鑑み、省電力化を図りつつ、適切な位置情報の取得または適切なタイミングにおける地図画像の取得更新を実行する携帯端末装置および制御方法並びにプログラムを提供することを目的とするものである。
【課題を解決するための手段】
【０００９】
本発明の携帯端末装置は、
地図アプリケーションプログラムを含む各種のプログラムの実行を指示する指示部と、
前記地図アプリケーションプログラムの表示画面を表示する表示部と、
前記地図アプリケーションプログラムに用いる位置情報及び地図情報を取得する通信部と、
ユーザの接触状態を検出する第１センサと第２センサを備え、両センサが接触状態を検出しているか否かを判定する検出部と、を備え、
前記第１センサと前記第２センサは筐体の両側に離間して配置され、
前記検出部は、両センサが接触状態を検出しているかの検出結果を所定時間毎に算出し、
前記通信部は、前記検出結果が接触状態を示す値の場合に、前記位置情報及び地図情報を更新し、
前記表示部は、前記検出結果が接触状態ではないことを示す値の場合に、前記表示画面の明るさを暗くする、
ものである。
【発明の効果】
【００１０】
本発明の携帯端末装置および制御方法並びにプログラムによれば、省電力化を図りつつ、適切な位置情報の取得または適切なタイミングにおける地図画像の取得更新を実行する携帯端末装置および制御方法並びにプログラムを提供することができる。
【図面の簡単な説明】
【００１１】
【図１】本発明の実施形態における携帯端末装置を示すブロック図
【図２】携帯端末装置がＧＰＳによる位置情報の取得または地図画像の取得更新を行い、表示出力の制御を行うまでの手順を示すフローチャート
【図３】携帯端末装置１のスライド開閉状態を示す図
【発明を実施するための形態】
【００１２】
本発明の実施の形態となる携帯端末装置１について、図面を参照しつつ説明する。
【００１３】
図１は、本発明の実施形態による携帯端末装置１の構成を示すブロック図である。本発明の実施形態による携帯端末装置１は、各種アプリケーションプログラムの実行を指示する指示部１１と、該各種アプリケーションプログラムを表示する表示部８と、各種情報を受信する通信部９と、携帯端末装置とユーザが接触しているか否かを表す接触状態の検出をする検出部１０と、ユーザが接するか否かの検出の結果（接触状態）に基づいて、通信部９の通信頻度を制御する通信制御部６とを備え、更に表示部８を制御する表示制御部５と、検出制御部７と、ＲＯＭ１３と、ＲＡＭ２と、ＣＰＵ４とが、バス１２により接続され構成されている。
【００１４】
本発明の実施形態による携帯端末装置１は、ＲＯＭ１３に記録されたプログラムにより実行されるものであってもよく、上記プログラムは、各種アプリケーションプログラムの実行を指示する指示部１１と、該各種アプリケーションプログラムを表示する表示部８と、各種情報を受信する通信部９とを備えた携帯端末装置１のプログラムであって、ユーザが携帯端末装置１に接触しているか否かを検出する機能と、ユーザが接触しているか否かの検出結果に基づいて、通信部９の通信頻度を制御する機能とを携帯端末装置１に実行させるものである。
【００１５】
以下、本発明の実施形態では、携帯端末装置１は図３に示すようなスライド開閉式の携帯電話機として説明するが、携帯端末装置１は、ノートパソコン、その他のパーソナルコンピュータ、ＰＤＡ（Personal Digital Assistant）、デジタルカメラ等であってもよい。
【００１６】
通信部９は、各種情報を受信するものであって、例えば、指示部１１により、ナビゲーション機能（地図とユーザの歩行状況を示すもの）に関するアプリケーションプログラムの実行を指示された際、地図画像を取得するものであって、ユーザが接するか否かの検出結果に基づいて、地図画像の取得頻度を制御する。そのために、通信部９は、ネットワーク通信部９Ｎと、位置情報取得部９Ｇとを備える。ネットワーク通信部９Ｎは、例えば、ＰＨＳ、携帯電話機、ＩＰ電話機等による通話、メール、インターネット等の機能を備えるものである。位置情報取得部９Ｇは、例えば、ＧＰＳ通信等の機能を備えるものである。通信部９は、更に、ユーザが筐体に接触接するか否かを表す接触状態に基づき、位置情報取得部９Ｇの位置情報の取得頻度を制御する機能を有する。
【００１７】
表示部８は、表示制御部５により制御され、各種アプリケーションプログラムを表示するものである。表示制御部５は、ユーザが接するか否かを検出部１０で検出した結果（接触状態）に基づいて、表示部８の明るさを制御する。
【００１８】
検出部１０は、例えば、図３に示すようにタッチセンサ１０Ｒとタッチセンサ１０Ｌを備えている。タッチセンサ１０Ｒ及び１０Ｌは、携帯端末装置１の筐体の右側面および左側面にそれぞれ設けてある。
タッチセンサ１０Ｒおよびタッチセンサ１０Ｌは、ユーザが携帯端末装置１に触れていることを検出するものである。なお、位置情報は、携帯端末装置１の位置を示すものであって、例えば、ＧＰＳ信号である。
【００１９】
また、携帯端末装置１は、ＣＰＵ（中央処理装置）４を搭載しており、ＣＰＵ４はバス１２を介して装置内の各部と接続されている。上述したように、これらのうちＲＯＭ（リード・オンリ・メモリ）１３は、ＣＰＵ４が実行するための各種の制御用プログラムや固定データを格納され、ＲＡＭ（ランダム・アクセス・メモリ）２は、ＣＰＵ４が実行する上で一時的に必要となるデータを格納されるものである。
【００２０】
なお、ナビゲーション機能付きのアプリケーションプログラムを実行する際は、現在の位置情報（位置データ）若しくは地図画像（画像データ）もこのＲＡＭ２の所定領域に格納する。
表示制御部５は表示部８の表示を制御する制御回路であり、表示部８は例えば、白黒あるいはカラーの液晶パネルあるいは有機ＥＬ（電子蛍光）、ＣＲＴ等の表示装置である。
通信制御部６は通信部９を制御する制御回路であり、例えば通信部９Ｇは、ＧＰＳ通信を行う装置である。
検出制御部７はタッチセンサ１０Ｒ、タッチセンサ１０Ｌを制御する制御回路である。タッチセンサ１０Ｒ，１０Ｌは人が触れていることを検出するセンサ装置である。また、タッチセンサ１０Ｒ，１０Ｌは、図３に示すように本体側面のディスプレイの表示方向を基準に左右に取り付けてある。
また、指示部１１は、例えば、図３に示すように、携帯端末装置１のボタンであってもよい。
【００２１】
次いで本発明の実施形態である携帯端末装置１がＧＰＳによる位置情報の取得またはアプリケーションプログラムの実行をＣＰＵ４により行い、表示出力の制御を行うまでの手順について、図２を参照して説明する。
ユーザが、指示部１１を介して指示することにより、携帯端末装置１は、ナビゲーション機能付きのアプリケーションプログラムを起動する。そして、通信部９は、現在位置を示す１枚目の地図情報を取得し、表示部６には、地図情報の画像を表示する。
表示部６の画像表示が完了した後に、位置情報取得部９Ｇは、ＧＰＳ信号を取得し、位置情報の取得および地図画像の更新をする。
【００２２】
携帯端末装置１は、指示部１１を介して、アプリケーションプログラムが起動中であるか否かを確認する（ＳＴＥＰ１）。次に、アプリケーションプログラムが起動している場合（ＳＴＥＰ１；ＹＥＳ）、タッチセンサ１０Ｒにユーザが接触しているか否かの検出を行う（ＳＴＥＰ２）。タッチセンサ１０Ｒにユーザが接触している場合（ＳＴＥＰ２；ＹＥＳ）、タッチセンサ１０Ｌにユーザが接触しているか否かの検出を行う（ＳＴＥＰ３）。ＳＴＥＰ２及び３の何れの判断においてもＹＥＳであるとき、ユーザが表示部８の表示画面を確認している状態と判断し、位置情報取得部９Ｇによる位置情報の取得およびネットワーク通信部９Ｎによる地図情報の取得更新を実施する（ＳＴＥＰ４）。このように、ユーザがタッチセンサ１０Ｒ及びタッチセンサ１０Ｌに接している状態において、位置情報取得部９Ｇによる位置情報の取得およびネットワーク通信部９Ｎによる地図情報の取得更新を実施するように処理を行う。
【００２３】
タッチセンサ１０Ｒにユーザが接触していない場合（ＳＴＥＰ２；ＮＯ）、またはタッチセンサ１０Ｌにユーザが接触していない場合（ＳＴＥＰ３；ＮＯ）、表示制御部５は、表示部６の画面の照度を下げるように表示出力を制御する（ＳＴＥＰ５）。
位置情報取得部９Ｇにより位置情報を取得するか、ネットワーク通信部９Ｎにより地図情報の取得更新を実施した後（ＳＴＥＰ４）、ＣＰＵ４は、所定の期間が経過したか否かを判別する（ＳＴＥＰ６）。ＣＰＵ４は、所定の期間が経過していない場合は（ＳＴＥＰ６；ＮＯ）、所定の期間が経過するまで待機する。
一方、ＣＰＵ４は、所定の期間が経過した場合は（ＳＴＥＰ６；ＹＥＳ）、アプリケーションプログラムが起動しているか否か、再度確認を行い（ＳＴＥＰ１）、フローの手順が回帰するように処理を再実行する。このようにフローの手順が回帰することにより、ユーザが携帯端末装置１に接するタイミングに位置情報の取得および地図情報の取得更新を実施することができる。
【００２４】
なお、所定の期間とは、１０秒、１分、３０分程度の間隔、いずれであってもよい。
また、指示部１１により、上述の所定の期間は、設定することが可能である。
また、図３に示すような、携帯端末装置１の場合、ユーザが、暗くなっている表示部６を明るくしたい時に、携帯端末装置１を持ち上げた時点から、ユーザの手がタッチセンサ１０Ｒ，１０Ｌに接するため、上述したようにアプリケーションプログラムが起動された状態であったなら、自動的に位置情報の取得や地図画像の取得更新等の処理を開始することができるので、使用者が指示部１１を介して指示を行う手間を省くことができる。
【００２５】
携帯端末装置１は、携帯端末装置とユーザが接するか否かを検出し、ユーザが接するか否かの検出結果に基づいて、通信部９の通信頻度を制御する機能を有し、ユーザが、携帯端末装置の表示画面を確認する際にだけ、適切に取得または更新された情報を表示することができ、このことにより消費電力が多いＧＰＳの位置情報の取得や地図情報の画像取得更新という通信の回数を抑制することが可能となり、省電力ができる。更に、ナビゲーション機能が付いていないアプリケーションプログラムの場合にも、検出部１０の検出結果に基づきユーザが表示部６を確認しているか否かを判断することで、画像取得の更新回数を抑制する効果を得ることができる。
【符号の説明】
【００２６】
１ 携帯端末装置
２ ＲＡＭ
４ ＣＰＵ
５ 表示制御部
６ 通信制御部
７ 検出制御部
８ 表示部
９ 通信部
９Ｇ 位置情報取得部
９Ｎ ネットワーク通信部
１０ 検出部
１０Ｒ タッチセンサ（右）
１０Ｌ タッチセンサ（左）
１１ 指示部
１３ ＲＯＭ
【図１】
2014014186.tif 000003
【図２】
2014014186.tif 000004
【図３】
2014014186.tif 000005